(57)【要約】【課題】面倒な操作や持ち歩きの不便さを解消して、行動の管理に関するサービスを受けることができ、そのための必要な情報を簡単に得る。【解決手段】身体に装着可能な形状を有するリスト端末１１と、リスト端末１１と近距離無線通信により接続可能な多機能型の携帯端末１２とを備える。リスト端末１１は、ユーザの行動データを測定し、携帯端末１２との通信状態に応じて、その行動データをリアルタイムに携帯端末１２に送信する。携帯端末１２は、リスト端末１１から受信した行動データを解析し、行動データの種類に応じてネット上の健康管理サーバ１６またはランナーズサーバ１７にアクセスする。【選択図】図１
2014120822.tif 000002
【特許請求の範囲】
【請求項１】
身体に装着可能な形状を有する第１の端末と、この第１の端末と近距離無線通信により接続可能な第２の端末とを備えた行動管理システムにおいて、
上記第１の端末は、
ユーザの行動データを測定する測定手段と、
この測定手段によって測定された行動データを記録する記録手段と、
上記第２の端末との通信状態に応じて、上記測定手段によって測定された行動データをリアルタイムに上記第２の端末に送信するか、あるいは、上記記録手段に蓄積された行動データを一括して上記第２の端末に送信する通信制御手段とを具備し、
上記第２の端末は、
上記第１の端末から受信した行動データを解析する解析手段と、
上記行動データの種類に応じてネット上の所定のサーバにアクセスし、上記解析手段によって得られたデータを送信して当該サーバのサービスを受けるサーバアクセス手段と
を具備したことを特徴とする行動管理システム。
【請求項２】
上記測定手段は、
上記行動データとしてユーザの日常生活の動きデータを測定することを含み、
上記サーバアクセス手段は、
上記行動データが上記動きデータの場合に健康管理を支援する第１のサーバにアクセスして上記動きデータを送信し、健康管理に関するアドバイスを受けることを特徴とする請求項１記載の行動管理システム。
【請求項３】
上記測定手段は、
上記行動データとしてユーザの現在位置を示す位置データを測定することを含み、
上記サーバアクセス手段は、
上記行動データが上記位置データであり、ユーザがランニング中と判断できる場合にランニングを支援する第２のサーバにアクセスして上記位置データを送信し、ランニングに関するに関するアドバイスを受けることを特徴とする請求項１記載の行動管理システム。
【請求項４】
上記第２の端末は、
ユーザの現在位置を測定する位置測定手段を備え、
上記サーバアクセス手段は、
所定の操作により、上記第２のサーバにアクセスし、上記位置測定手段によって測定された位置データを送信することを特徴とする請求項１記載の行動管理システム。
【請求項５】
上記第１の端末は、
上記第２の端末から各種情報を取得する情報取得手段と、
ユーザの所定の動作により、上記情報取得手段によって取得された各種情報の中から予め設定された項目に関する情報を選択的に表示する表示制御手段と
をさらに具備したことを特徴とする請求項１記載の行動管理システム。
【請求項６】
上記第１の端末は、
ユーザの手首に装着可能な腕時計の形状を有し、
上記情報取得手段は、
上記第１の端末がユーザの手首に装着された状態で、上記第１の端末の近くに存在する上記第２の端末から近距離無線通信により各種情報を取得することを特徴とする請求項５記載の行動管理システム。
【請求項７】
身体に装着可能な形状を有する第１の端末と、この第１の端末と近距離無線通信により接続可能な第２の端末とを用いて、ユーザの行動を管理するための方法であって、
上記第１の端末は、
ユーザの行動データを測定し、
この測定された行動データをメモリに記録し、
上記第２の端末との通信状態に応じて、上記測定された行動データをリアルタイムに上記第２の端末に送信するか、あるいは、上記メモリに蓄積された行動データを一括して上記第２の端末に送信し、
上記第２の端末は、
上記第１の端末から受信した行動データを解析し、
上記行動データの種類に応じてネット上の所定のサーバにアクセスし、上記行動データの解析結果を送信して当該サーバのサービスを受けることを特徴とする行動管理方法。
【発明の詳細な説明】
【技術分野】
【０００１】
本発明は、ユーザの行動を管理する行動管理システム及び行動管理方法に関する。
【背景技術】
【０００２】
近年、スマートフォン（多機能型携帯電話装置）などの携帯端末の急激な普及に伴い、ネット上で様々な情報を配信するサービスが溢れている。このため、ユーザが必要な情報だけを選別して表示するのに非常に手間がかかっている。
【０００３】
一方、人々の健康管理の関心が高まっており、ネット上で健康管理を支援する様々なサービスが提供されている。これらのサービスを受けるためには、当該サービスを提供しているサーバにアクセスし、携帯端末を通じて通信を行う必要がある。
【０００４】
従来、サーバ側でユーザの状態履歴を把握し、各種情報の中からユーザの状態に合わせた情報を選択的に配信するシステムが考えられている（例えば、特許文献１参照）。また、ネット上で健康管理を支援するシステムが考えられている（例えば、特許文献２，３参照）。
【先行技術文献】
【特許文献】
【０００５】
【特許文献１】特開２００２−３７３１７６号公報
【特許文献２】特開２０１１−２０９８７１号公報
【特許文献３】特開２０１１−２４４８４８号公報
【発明の概要】
【発明が解決しようとする課題】
【０００６】
しかしながら、通常、スマートフォンなどの携帯端末でネット上の各種情報を表示するためには、その都度、画面上でアイコンをタッチしてアプリ（アプリケーションソフトの略）を起動する必要があり、そのための操作が非常に煩わしいといった問題がある。
【０００７】
また、一般的に知られている人間の行動に基づく健康管理のためのシステムは大かがりであり、ユーザの日常生活の動きを測定するための測定器具を持ち歩いて行動する必要がある。
【０００８】
本発明は上記のような点に鑑みなされたもので、面倒な操作や持ち歩きの不便さを解消して、行動管理に関するサービスを受けることができ、そのための必要な情報を簡単に得ることのできる行動管理システム及び行動管理方法を提供することを目的とする。
【課題を解決するための手段】
【０００９】
本発明に係る行動管理システムは、身体に装着可能な形状を有する第１の端末と、この第１の端末と近距離無線通信により接続可能な第２の端末とを備えた行動管理システムにおいて、上記第１の端末は、ユーザの行動データを測定する測定手段と、この測定手段によって測定された行動データを記録する記録手段と、上記第２の端末との通信状態に応じて、上記測定手段によって測定された行動データをリアルタイムに上記第２の端末に送信するか、あるいは、上記記録手段に蓄積された行動データを一括して上記第２の端末に送信する通信制御手段とを具備し、上記第２の端末は、上記第１の端末から受信した行動データを解析する解析手段と、上記行動データの種類に応じてネット上の所定のサーバにアクセスし、上記解析手段によって得られたデータを送信して当該サーバのサービスを受けるサーバアクセス手段とを具備したことを特徴とする。
【発明の効果】
【００１０】
本発明によれば、面倒な操作や持ち歩きの不便さを解消して、行動管理に関するサービスを受けることができ、そのための必要な情報を簡単に得ることができる。
【図面の簡単な説明】
【００１１】
【図１】図１は本発明の一実施形態に係るネットワークシステムの構成を示す図である。
【図２】図２は同実施形態におけるリスト端末の装着状態を示す図である。
【図３】図３は同実施形態におけるリスト端末と携帯端末との関係を示す図である。
【図４】図４は同実施形態におけるリスト端末の表示切替え方法を説明するための図である。
【図５】図５は同実施形態におけるリスト端末の回路構成を示すブロック図である。
【図６】図６は同実施形態における携帯端末の回路構成を示すブロック図である。
【図７】図７は同実施形態におけるリスト端末サーバの動作を示すフローチャートである。
【図８】図８は同実施形態におけるリスト端末サーバに備えられたリスト端末用メモリの構成を示す図である。
【図９】図９は同実施形態における携帯端末のリスト配信アプリに関する動作を示すフローチャートである。
【図１０】図１０は同実施形態における健康管理サービスに関するリスト端末の動作を示すフローチャートである。
【図１１】図１１は同実施形態における健康管理サービスに関する携帯端末の動作を示すフローチャートである。
【図１２】図１２は同実施形態におけるランニングサービスに関する携帯端末の動作を示すフローチャートである。
【図１３】図１３は同実施形態におけるランニングサービスに関する携帯端末の動作を示すフローチャートである。
【図１４】図１４は同実施形態におけるリスト端末の情報取得処理の動作を示すフローチャートである。
【図１５】図１５は同実施形態におけるリスト端末の情報表示処理の動作を示すフローチャートである。
【発明を実施するための形態】
【００１２】
以下、図面を参照して本発明の実施形態について説明する。
【００１３】
図１は本発明の一実施形態に係る行動管理システムの構成を示す図である。
【００１４】
この行動管理システムは、リスト端末１１と、携帯端末１２と、インターネット等のネットワーク１３上に存在する各種コンテンツサーバ１４ａ，１４ｂ…、リスト端末サーバ１５、健康管理サーバ１６、ランナーズサーバ１７とからなる。
【００１５】
リスト端末１１と携帯端末１２は、本発明の第１の端末と第２の端末に相当するものである。本実施形態において、リスト端末１１は、ユーザの手首に装着可能な腕時計の形状を有する。これに対し、携帯端末１２は、例えばスマートフォンなどであり、ユーザがカバン等に入れて持ち歩くことが可能な多機能型の携帯用通信端末装置である。リスト端末１１の近くに携帯端末１２があるとき、リスト端末１１と携帯端末１２はＢｌｕｅｔｏｏｔｈ（登録商標）等の近距離無線通信により接続される。
【００１６】
また、携帯端末１２は、無線ＬＡＮ（Wi-Fi）や３Ｇの携帯電話回線網等を通じてネットワーク１３上の各種コンテンツサーバ１４ａ，１４ｂ…やリスト端末サーバ１５、健康管理サーバ１６、ランナーズサーバ１７に接続可能な機能を有する。
【００１７】
各種コンテンツサーバ１４ａ，１４ｂ…は、例えば各地域の天気情報の配信や、音楽、映画の配信など、ネットワーク１３上で様々なサービスを行う。リスト端末サーバ１５は、リスト端末１１で扱う情報を管理するための専用サーバであり、各種コンテンツサーバ１４ａ，１４ｂ…、健康管理サーバ１６、ランナーズサーバ１７から配信される情報をリスト端末１１の画面サイズに合わせて加工するなどの処理を行う。
【００１８】
ここで、本発明の第１の端末として用いられるリスト端末１１の使い方について説明する。
【００１９】
図２はリスト端末１１の装着状態を示す図、図３はリスト端末１１と携帯端末１２との関係を示す図である。
【００２０】
図２に示すように、リスト端末１１は、装置本体１１ａと、この装置本体１１ａの両端に取り付けられたバンド１１ｂとからなる。後述するように、リスト端末１１の装置本体１１ａには、加速度センサや角速度センサなどの動き検知センサが内蔵されている。ユーザの手首にリスト端末１１を装着した状態で腕を顔の前に待っていき、手首を回す動作（これをフリップ動作と呼ぶ）を行うと表示が切り替えられる。
【００２１】
図３に示すように、リスト端末１１と携帯端末１２とは、Ｂｌｕｅｔｏｏｔｈ（登録商標）等の近距離無線通信により接続されている。携帯端末１２は、各種コンテンツサーバ１４ａ，１４ｂ…の情報や健康管理サーバ１６、ランナーズサーバ１７の情報を受信すると、これらの情報をリスト端末１１に送信する。この場合、リスト端末１１の画面は携帯端末１２に比べて小さいため、図１に示したリスト端末サーバ１５が各種コンテンツサーバ１４ａ，１４ｂ…の情報をリスト端末用に加工処理している。この加工処理された情報を携帯端末１２経由でリスト端末１１に送って表示する。
【００２２】
どの情報をどのように表示するのかは、携帯端末１２側で設定する。携帯端末１２側で設定を行うのは、リスト端末１１の画面が小さいためである。携帯端末１２には、リスト端末１１との間で設定内容を同期するためのアプリが搭載されている。
【００２３】
図４はリスト端末１１の表示切替え方法を説明するための図である。
【００２４】
リスト端末１１では、ユーザが手首を回す動作（フリップ動作）を行うことで、表示の切替えを行うことができる。この例では、初期画面である時計画面の状態から１回目のフリップ動作で現在地域の雨雲の動き、２回目のフリップ動作で指定地域の天気情報、３回目のフリップ動作でスケジュール、４回目のフリップ動作でツイートの情報に順次切り替えられる様子が示されている。どの情報を何番目に表示するのかも含めて携帯端末１２側で設定することができる。
【００２５】
以下に、各装置の構成と動作について詳しく説明する。  
図５はリスト端末１１の回路構成を示すブロック図である。
【００２６】
リスト端末１１は、ＣＰＵ２１、表示部２２、タッチパネル２３、通信部２４、メモリ２５、センサ部２６、時計部２７、ＧＰＳ部２８などを備える。
【００２７】
ＣＰＵ２１は、メモリ２５に記憶されたプログラム２５ａの起動により、リスト端末１１の動作を制御する。本実施形態において、このＣＰＵ２１には、第２の端末である携帯端末１２との通信状態に応じて活動データを送信する通信制御機能２１ａが備えられている。ここで言う「活動データ」とは、ユーザの活動を表すデータであり、センサ部２６またはＧＰＳ部２８にて測定される。
【００２８】
センサ部２６では、加速度センサ等の動き検出センサにより、ユーザの日常生活の動き（行動）を測定する。ＧＰＳ部２８では、ＧＰＳ（Global Positioning System）によりユーザの現在位置を測定する。通信制御機能２１ａでは、携帯端末１２との通信状態に応じて、センサ部２６またはＧＰＳ部２８にて測定された活動データをリアルタイムに携帯端末１２に送信するか、あるいは、メモリ２５に蓄積された活動データを一括して携帯端末１２に送信する。
【００２９】
さらに、ＣＰＵ２１には、各種情報を取得する情報取得機能２１ｂと、ユーザの所定の動作に基づいて各種情報の中から予め設定された項目に関する情報を選択的に表示する表示制御機能２１ｃが設けられている。「所定の動作」とは、ユーザの手首を回す動作（フリップ動作）である（図４参照）。
【００３０】
表示部２２は、ＬＣＤ（Liquid Crystal Display）からなり、各種情報をカラー表示する。タッチパネル２３は、表示部２２の表示画面上に載置され、タッチ操作による入力指示を行うために用いられる。この表示部２２とタッチパネル２３とで一体型の入力表示装置を構成し、ユーザが画面の表示を見ながら、タッチ操作による入力指示を行うことができる。
【００３１】
通信部２４は、Ｂｌｕｅｔｏｏｔｈ（登録商標）等の近距離通信により、外部端末（ここでは携帯端末１２）との間でデータの送受信処理を行う。
【００３２】
メモリ２５には、ＣＰＵ２１を制御するためのプログラム２５ａの他、ＣＰＵ２１の処理動作に必要な各種データが記憶される。プログラム２５ａは、上述した各機能２１ａ，２１ｂ，２１ｃを実現するためのプログラムを含む。
【００３３】
センサ部２６は、ｘ軸，ｙ軸，ｚ軸方向の加速度を検知可能な３軸の加速度センサなどからなる動き検出センサを備えている。時計部２７は、リスト端末１１の時計機能を実現するための部分であり、現在の時刻を計時する。また、ＧＰＳ部２８は、ＧＰＳにより現在位置を検出する。
【００３４】
図６は携帯端末１２の回路構成を示すブロック図である。
【００３５】
携帯端末１２は、ＣＰＵ３１、表示部３２、タッチパネル３３、第１の通信部３４ａ、第２の通信部３４ｂ、メモリ３５、ＧＰＳ部３６などを備える。
【００３６】
ＣＰＵ３１は、メモリ３５に記憶されたプログラム３５ａの起動により、携帯端末１２の動作を制御する。本実施形態において、このＣＰＵ３１には、リスト端末１１の情報表示に関わる各種設定を行う設定機能３１ａ、リスト端末サーバ１５に定期的にアクセスしてコンテンツ情報を収集する情報収集機能３１ｂ、コンテンツ情報をリスト端末１１に転送する情報転送機能３１ｃなどが設けられている。
【００３７】
さらに、ＣＰＵ３１は、リスト端末１１から受信した活動データを解析する解析機能３１ｄ、活動データの種類に応じてネット上の所定のサーバにアクセスし、解析結果として得られたデータを送信して当該サーバのサービスを受けるサーバアクセス機能３１ｅを有する。
【００３８】
表示部３２とタッチパネル３３は、リスト端末１１の表示部２２とタッチパネル２３と同様に一体型の入力表示装置を構成し、ユーザが画面の表示を見ながら、タッチ操作による入力指示を行うことができる。
【００３９】
第１の通信部３４ａは、Ｂｌｕｅｔｏｏｔｈ（登録商標）等の近距離通信機能により、外部端末（リスト端末１１）との間で無線通信によるデータの送受信処理を行う。第２の通信部３４ｂは、無線ＬＡＮ（Wi-Fi）や３Ｇの携帯電話回線網等により、ネットワーク１３上のコンテンツサーバ１４ａ，１４ｂ…やリスト端末サーバ１５、健康管理サーバ１６、ランナーズサーバ１７にアクセスする。
【００４０】
メモリ３５には、ＣＰＵ３１を制御するためのプログラム３５ａの他、ＣＰＵ３１の処理動作に必要な各種データが記憶される。プログラム３５ａは、上述した各機能３１ａ，３１ｂ，３１ｃを実現するためのプログラムを含む。
【００４１】
なお、コンテンツサーバ１４ａ，１４ｂ…やリスト端末サーバ１５、健康管理サーバ１６、ランナーズサーバ１７については、ＣＰＵ、ＲＯＭ、ＲＡＭなどを備えた汎用のコンピュータからなり、その詳しい構成については図示を省略する。
【００４２】
次に、本実施形態における行動管理支援システムの動作について、（ａ）情報配信、（ｂ）健康管理サービス、（ｃ）ランニングサービス、（ｄ）情報取得・情報表示の各動作に分けて説明する。なお、ここで言う「行動管理」とは、ユーザの健康管理とランニング管理の総称である。
【００４３】
（ａ）情報配信
図７は情報配信に関するリスト端末サーバ１５の動作を示すフローチャートである。なお、このフローチャートで示される処理は、リスト端末サーバ１５に備えられた図示せぬＣＰＵが所定のプログラムを読み込むことにより実行される。
【００４４】
リスト端末サーバ１５は、ネットワーク１３上に存在する各種コンテンツサーバ１４ａ，１４ｂ、健康管理サーバ１６、ランナーズサーバ１７からの配信情報を受信し（ステップＡ１１）、これらの配信情報をリスト端末用に加工する（ステップＡ１２）。リスト端末サーバ１５は、図８に示すリスト端末用メモリ４１に加工後の配信情報を蓄積する（ステップＡ１３）。
【００４５】
リスト端末用メモリ４１はリスト端末毎に設けられている。このリスト端末用メモリ４１には、ユーザ情報４１ａとして、ユーザが持つリスト端末１１に固有のＩＤ情報（識別情報）、ユーザが選択した配信コンテンツ種類、その他の各種設定情報が記録されている。また、配信情報４１ｂとして、各種コンテンツサーバ１４ａ，１４ｂ、健康管理サーバ１６、ランナーズサーバ１７から受信してリスト端末用に加工した配信情報が記憶されている。「リスト端末用に加工」とは、腕時計サイズであるリスト端末１１の画面に合わせてコンテンツ情報を編集するなどの処理を施すことである。
【００４６】
リスト端末サーバ１５は、このリスト端末用メモリ４１を参照して、各種コンテンツ情報をユーザ別に選択的に受信し、それぞれに加工処理してリスト端末用メモリ４１に蓄積する。
【００４７】
図９は情報配信に関する携帯端末１２の動作を示すフローチャートである。なお、このフローチャートで示される処理は、携帯端末１２に備えられたＣＰＵ３１がメモリ３５に記憶されたプログラム３５ａを読み込むことにより実行される。
【００４８】
まず、ユーザが携帯端末１２の画面上に設けられた図示せぬ設定アイコンをタップして「リスト端末設定」の機能を起動する。「リスト端末設定」の機能が起動されると（ステップＢ１１のＹｅｓ）、携帯端末１２（詳しくはＣＰＵ３１）は、ネットワーク１３を介してリスト端末サーバ１５に接続し、リスト端末サーバ１５からリスト端末設定用の所定の設定画面を受信して表示する（ステップＢ１２）。
【００４９】
ユーザが携帯端末１２の画面上で設定操作を行うと（ステップＢ１３）、携帯端末１２は、その設定操作によって設定された情報をメモリ３５に保持しておくと共に、リスト端末サーバ１５に送信して（ステップＢ１４）、リスト端末サーバ１５のリスト端末用メモリ４１に当該設定情報を登録する（ステップＢ１５）。
【００５０】
なお、このときの設定情報をリスト端末１１に送るようにしても良い。これにより、ユーザがリスト端末１１の画面で設定内容をいつでも確認することができる。
【００５１】
予め設定された巡回時間になると（ステップＢ１６のＹｅｓ）、携帯端末１２は、ネットワーク１３を介してリスト端末サーバ１５にアクセスして、リスト端末用メモリ４１に蓄積されているコンテンツ情報を受信する（ステップＢ１７）。このとき受信したコンテンツ情報は、メモリ３５の所定のエリアに記憶される。そして、リスト端末１１から配信要求があったときに（ステップＢ１８のＹｅｓ）、携帯端末１２は、上記メモリ３５の所定のエリアに記憶されたコンテンツ情報を読み出してリスト端末１１に転送する（ステップＢ１９）。携帯端末１２からリスト端末１１に転送されたコンテンツ情報は、リスト端末サーバ１５にて既にリスト端末用に加工済みである。
【００５２】
リスト端末１１に転送されたコンテンツ情報は、ユーザが所定の動作を行うことで、予め設定された優先順位に従って表示される。所定の動作とは、手首を回す動作（フリップ動作）である。
【００５３】
（ｂ）健康管理サービス
ユーザは、健康を管理する健康管理サーバ１６に加入している。健康管理サーバ１６は、ユーザの日常生活の活動から健康管理に役立つメッセージを配信するなどのサービスを行う。日常生活の活動とは、例えば１日の行動として食事（朝食）→歩行（通勤）→仕事→食事（昼食）→ジョギング→仕事→歩行（退勤）→食事（夕食）→睡眠などである。
【００５４】
健康管理サーバ１６へのアクセスは携帯端末１２側で行う。つまり、携帯端末１２には健康管理アプリが搭載されている。リスト端末１１から動き検出センサのデータを受信すると、ユーザが何をしているかなどを解析して、例えば５分毎に健康管理サーバ１６に送る。
【００５５】
以下に、リスト端末１１の動作と携帯端末１２の動作に分けて、健康管理サービスに関する動作を詳しく説明する。
【００５６】
（リスト端末１１の動作）
図１０は健康管理サービスに関するリスト端末１１の動作を示すフローチャートである。なお、このフローチャートで示される処理は、リスト端末１１に備えられたＣＰＵ２１がメモリ２５に記憶されたプログラム２５ａを読み込むことにより実行される。また、後述する図１２、図１４および図１５のフローチャートで示される処理についても同様であり、ＣＰＵ２１がプログラム２５ａを読み込むことにより実行される。
【００５７】
リスト端末１１（詳しくはＣＰＵ２１）は、センサ部２６に備えられた動き検出センサの出力があるか否かチェックする（ステップＣ１１）。動き検出センサの出力がある場合（ステップＣ１１のＹｅｓ）、リスト端末１１は、ユーザがリスト端末１１を身に付けて行動しているものと判断し、そのときに動き検出センサから出力される動きデータを取得する（ステップＣ１２）。
【００５８】
ここで、リスト端末１１の近くに携帯端末１２があり、近距離無線通信可能な状態にあれば（ステップＣ１３のＹｅｓ）、リスト端末１１は、その間に動き検出センサから得られる動きデータを携帯端末１２にリアルタイムに送信する（ステップＣ１４）。
【００５９】
一方、近距離無線通信可能な状態でない場合、つまり、例えば携帯端末１２を家に置いて、リスト端末１１だけを身に付けて行動している場合には（ステップＣ１３のＮｏ）、リスト端末１１は、その間に得られる動きデータをメモリ２５の所定のエリアに蓄積しておく（ステップＣ１５）。そして、近距離無線通信可能な状態になったときに（ステップＣ１６，Ｃ１７）、リスト端末１１は、メモリ２５の所定のエリアに蓄積された動きデータを一括して携帯端末１２に送信する（ステップＣ１８）。
【００６０】
（携帯端末１２の動作）
図１１は健康管理サービスに関する携帯端末１２の動作を示すフローチャートである。なお、このフローチャートで示される処理は、携帯端末１２に備えられたＣＰＵ３１がメモリ３５に記憶されたプログラム３５ａを読み込むことにより実行される。また、後述する図１３のフローチャートで示される処理についても同様であり、ＣＰＵ３１がプログラム３５ａを読み込むことにより実行される。
【００６１】
今、携帯端末１２では、健康管理アプリが起動されているものとする。
【００６２】
携帯端末１２（詳しくはＣＰＵ３１）は、データを受信すると（ステップＤ１１のＹｅｓ）、そのデータがリスト端末１１からリアルタイムで送られて来る動きデータか否かを判断する（ステップＤ１２）。
【００６３】
受信データがリスト端末１１からリアルタイムで送られて来る動きデータであれば（ステップＤ１２のＹｅｓ）、携帯端末１２は、その動きデータをメモリ３５の所定のエリアに蓄積する（ステップＤ１３）。そして、動きデータが所定時間分蓄積されたら（ステップＤ１４のＹｅｓ）、携帯端末１２は、メモリ３５から読み出して、どのように活動していのかを解析する（ステップＤ１５）。
【００６４】
動きデータを所定時間分蓄積しておくのは、ある程度の時間幅で解析しないと、ユーザの行動を正しく判断できないためである。解析された結果は、所定時間（例えば５分）毎に携帯端末１２からネットワーク１３を介して健康管理サーバ１６に送られる（ステップＤ１６）。
【００６５】
一方、リスト端末１１から動きデータが一括して送られてきた場合、つまり、上記ステップＣ１５で蓄積された動きデータが送られて来た場合には（ステップＤ１７のＹｅｓ）、携帯端末１２は、その蓄積データを用いて解析処理を行う（ステップＤ１８）。解析された結果は、所定時間（例えば５分）毎に携帯端末１２からネットワーク１３を介して健康管理サーバ１６に送られる（ステップＤ１６）。
【００６６】
また、リスト端末１１にはＧＰＳ部２８が設置されており、利用者がリスト端末１１を装着して行動している間、現在の位置データが携帯端末１２に送られてくる。携帯端末１２は、リスト端末１１から位置データを受信した場合には（ステップＤ１９のＹｅｓ）、移動経路や移動速度などを解析する（ステップＤ２０）。この解析結果は上記動きデータの解析同様に携帯端末１２からネットワーク１３を介して健康管理サーバ１６に送られる（ステップＤ１６）。
【００６７】
このように、リスト端末１１を身に付けておくだけで、ユーザの日常生活の活動に関するデータが採取され、携帯端末１２と通信可能な状態になったときに携帯端末１２に送られて解析される。解析された結果は健康管理サーバ１６に送られる。これにより、携帯端末１２を持ち歩かなくとも、健康管理サーバ１６から健康管理に関するアドバイスなどを受けることができる。
【００６８】
（ｃ）ランナーズサービス
ユーザは、健康管理サーバ１６とは別にランナーズサーバ１７にも加入している。ランナーズサーバ１７は、ユーザのランニングをアドバイスするサイトであり、ランニングした距離やコースを登録することで、他の人と比較するなどのサービスを提供している。
【００６９】
ユーザは携帯端末１２を持ち、ランニングアプリを起動してランニングする。ランニング中の位置データは携帯端末１２のＧＰＳ部３６で記録され、ユーザ操作でランナーズサーバ１７に送信される。
【００７０】
一方、携帯端末１２を置いてランニングした場合には、リスト端末１１のＧＰＳ部２８で位置データが記録される。携帯端末１２と通信可能な状態になったときに、その記録された位置データが携帯端末１２からリスト端末１１に送られ、ランニングしたと判断されると自動的にランナーズサーバ１７に送信される。また、ランニングではなく、例えば携帯端末１２を置いて別の部屋の会議室に移動することなどがある。このような場合には、位置データは上述した健康管理アプリに出力される。
【００７１】
以下に、リスト端末１１の動作と携帯端末１２の動作に分けて、ランニングサービスに関する動作を詳しく説明する。
【００７２】
（リスト端末１１の動作）
図１２はランニングサービスに関する携帯端末１２の動作を示すフローチャートである。
【００７３】
リスト端末１１（詳しくはＣＰＵ２１）では、携帯端末１２との間で近距離無線通信が可能な状態であるか否かを判断する（ステップＥ１１）。近距離無線通信が可能な状態でなかった場合には（ステップＥ１１のＮｏ）、リスト端末１１は、ユーザが携帯端末１２を置いてランニング中あるいは何らかの行動をしているものと判断し、そのときにリスト端末１１のＧＰＳ部２８で検出される位置データをメモリ２５の所定のエリアに記録する（ステップＥ１２）。
【００７４】
ここで、ユーザが携帯端末１２の近くに戻り、リスト端末１１と携帯端末１２とが近距離無線通信が可能な状態になると（ステップＥ１３のＹｅｓ）、リスト端末１１は、上記メモリ２５の所定のエリアに記録された位置データを携帯端末１２に送信する（ステップＥ１４）。
【００７５】
（携帯端末１２の動作）
図１３はランニングサービスに関する携帯端末１２の動作を示すフローチャートである。
【００７６】
まず、携帯端末１２（詳しくはＣＰＵ３１）は、ランナーズアプリが起動されているか否かを判断する（ステップＦ１１）。ランナーズアプリが起動されている場合（ステップＦ１１のＹｅｓ）、携帯端末１２は、ユーザがランニング中であると判断し、そのときに携帯端末１２のＧＰＳ部３６で検出される位置データをメモリ２５の所定のエリアに記録する（ステップＦ１２）。
【００７７】
なお、ランナーズアプリが起動されている場合には携帯端末１２が優先であり、リスト端末１１から位置データが送られて来ても、その位置データは使用せずに、携帯端末１２で検出された位置データをランニング用のデータとして使用するものとする。
【００７８】
ここで、ユーザにより所定の送信操作があると（ステップＦ１３のＹｅｓ）、メモリ２５の所定のエリアに記録された位置データがネットワーク１３を介してランナーズサーバ１７に送信される（ステップＦ１４）。また、この位置データはユーザの日常生活の活動を把握する上でも必要なデータなので、健康管理アプリにも出力される（ステップＦ１５）。
【００７９】
一方、ランナーズアプリが起動されていない場合において（ステップＦ１１のＮｏ）、携帯端末１２は、リスト端末１１から位置データを受信すると（ステップＦ１６のＹｅｓ）、その位置データを解析して（ステップＦ１７）、ユーザがランニング中であるか否かを判断する（ステップＦ１８）。この場合、予めランニングコースとして登録された経路を移動中であったり、徒歩よりも速い速度で移動している状態であれば、ランニング中であると判断できる。
【００８０】
ランニング中と判断した場合（ステップＦ１８のＹｅｓ）、携帯端末１２は、リスト端末１１から受信した位置データをランナーズサーバ１７に送信する（ステップＦ１４）。また、携帯端末１２は、このときの位置データを健康管理アプリに出力する（ステップＦ１５）。
【００８１】
また、例えば移動距離が短かったり、移動速度が遅いような場合には、ランニング中ではなく、単に場所を移動しただけであると判断される。ランニング中でないと判断した場合（ステップＦ１８のＮｏ）、携帯端末１２は、リスト端末１１から受信した位置データをランナーズサーバ１７には送信せずに、健康管理アプリにだけ出力する（ステップＦ１９）。
【００８２】
このように、携帯端末１２を持ってランニングすれば、その間に検出された位置データをランナーズサーバ１７に送ることで、ランニングに関するアドバイスなどを受けることができる。また、携帯端末１２を置いてランニングした場合には、リスト端末１１から受信した位置データをランナーズサーバ１７に送ることで、上記同様にランニングに関するアドバイスなどを受けることができる。
【００８３】
（ｄ）情報取得・情報表示
リスト端末１１は、携帯端末１２を通じてネット上の各種コンテンツ情報を取得して表示することができる。各種コンテンツ情報には、上述した健康管理サーバ１６やランナーズサーバ１７から提供される情報も含まれる。図９で説明したように、これらの情報はリスト端末サーバ１５にて一旦リスト端末用に加工処理されてから携帯端末１２を通じてリスト端末１１に与えられる。
【００８４】
図１４はリスト端末１１の情報取得処理の動作を示すフローチャートである。
【００８５】
リスト端末１１（詳しくはＣＰＵ２１）は、一定時間毎に携帯端末１２との接続状態を確認し（ステップＧ１１）、通信可能か否かを判断する（ステップＧ１２）。通信可能な場合、つまり、リスト端末１１と携帯端末１２とが近距離無線通信可能な状態にあれば（ステップＧ１２のＹｅｓ）、リスト端末１１は、携帯端末１２からコンテンツ情報を受信して、メモリ３５の所定のエリアに記憶しておく（ステップＧ１３）。このコンテンツ情報は、携帯端末１２がリスト端末サーバ１５から定期的に受信したものであり（図９のステップＢ１７参照）、リスト端末用に加工処理されている。
【００８６】
図１５はリスト端末１１の情報表示処理の動作を示すフローチャートである。
【００８７】
リスト端末１１（詳しくはＣＰＵ２１）は、センサ部２６に備えられた動き検出センサの出力データを解析し、その解析結果に基づいてユーザがどのような動きをしているのかを判断する（ステップＨ１１）。
【００８８】
ここで、ユーザが手首を回している場合（ステップＨ１２のＹｅｓ）、リスト端末１１は、図４に示したフリップ動作をしているものと判断し、基準画面である時計画面から情報表示に切り替える。すなわち、リスト端末１１は、ユーザが手首を回した回数に基づいてメモリ２５の所定のエリアから各種情報を選択的に読み出し、これを表示部２２の画面に表示する（ステップＨ１３）。上記各種情報には、健康管理サーバ１６やランナーズサーバ１７からのアドバイスも含まれる。この場合、各種情報を表示する順番は、予め設定されているものとする。
【００８９】
また、ユーザが腕を下げた動作を行った場合（ステップＨ１４のＹｅｓ）、リスト端末１１は、情報表示から基準画面である時計画面に戻す（ステップＨ１５）。
【００９０】
以上のように本実施形態によれば、身体に装着可能な形状を有するリスト端末１１と、このリスト端末１１と近距離無線通信により接続可能な多機能型の携帯端末１２を用いて、ユーザの健康管理を支援することができる。
【００９１】
この場合、リスト端末１１には加速度センサ等の動き検出センサが設置されている。したがって、リスト端末１１を身に付けていれば、携帯端末１２を常に持ち歩かなくとも、ユーザの日常生活の動きを測定でき、その測定結果をリスト端末１１から携帯端末１２を通じて健康管理サーバ１６に送ることで、健康管理に関するアドバイスを受けることができる。
【００９２】
また、リスト端末１１にはＧＰＳによる位置検出機能が備えられている。したがって、このリスト端末１１を身に付けていれば、携帯端末１２を常に持ち歩かなくとも、ランニングしたときの走行距離を測定でき、その測定結果をリスト端末１１から携帯端末１２を通じてランナーズサーバ１７に送ることで、ランニングに関するアドバイスを受けることができる。
【００９３】
一方、携帯端末１２にもＧＰＳによる位置検出機能が備えられているので、携帯端末１２を持ちながらランニングすれば、そのときの走行距離を測定してランナーズサーバ１７に送ることができる。
【００９４】
また、リスト端末１１では、携帯端末１２で受信したネット上の各種情報を確認できる。この場合、ユーザがリスト端末１１を持ちながら所定の動作を行うことで、これらの情報の中から予め設定された項目に関する情報が選択的に表示される。したがって、情報表示のための面倒な操作をしなくとも、いつでも簡単に必要な情報のみを表示して確認することができる。
【００９５】
このリスト端末１１はユーザの手首に装着可能な腕時計の形状を有し、カバン等に入れた携帯端末から近距離無線通信により各種情報を取得する。ユーザはこのリスト端末１１を手首に装着した状態で、手首を回すといった動作を行うだけで、これらの情報を選択的に見ることができる。
【００９６】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００９７】
以下に、本願出願の当初の特許請求の範囲に記載された発明を付記する。  
［１］
身体に装着可能な形状を有する第１の端末と、この第１の端末と近距離無線通信により接続可能な第２の端末とを備えた行動管理システムにおいて、
上記第１の端末は、
ユーザの行動データを測定する測定手段と、
この測定手段によって測定された行動データを記録する記録手段と、
上記第２の端末との通信状態に応じて、上記測定手段によって測定された行動データをリアルタイムに上記第２の端末に送信するか、あるいは、上記記録手段に蓄積された行動データを一括して上記第２の端末に送信する通信制御手段とを具備し、
上記第２の端末は、
上記第１の端末から受信した行動データを解析する解析手段と、
上記行動データの種類に応じてネット上の所定のサーバにアクセスし、上記解析手段によって得られたデータを送信して当該サーバのサービスを受けるサーバアクセス手段と
を具備したことを特徴とする行動管理システム。
【００９８】
［２］
上記測定手段は、
上記行動データとしてユーザの日常生活の動きデータを測定することを含み、
上記サーバアクセス手段は、
上記行動データが上記動きデータの場合に健康管理を支援する第１のサーバにアクセスして上記動きデータを送信し、健康管理に関するアドバイスを受けることを特徴とする［１］記載の行動管理システム。
【００９９】
［３］
上記測定手段は、
上記行動データとしてユーザの現在位置を示す位置データを測定することを含み、
上記サーバアクセス手段は、
上記行動データが上記位置データであり、ユーザがランニング中と判断できる場合にランニングを支援する第２のサーバにアクセスして上記位置データを送信し、ランニングに関するに関するアドバイスを受けることを特徴とする［１］記載の行動管理システム。
【０１００】
［４］
上記第２の端末は、
ユーザの現在位置を測定する位置測定手段を備え、
上記サーバアクセス手段は、
所定の操作により、上記第２のサーバにアクセスし、上記位置測定手段によって測定された位置データを送信することを特徴とする［１］記載の行動管理システム。
【０１０１】
［５］
上記第１の端末は、
上記第２の端末から各種情報を取得する情報取得手段と、
ユーザの所定の動作により、上記情報取得手段によって取得された各種情報の中から予め設定された項目に関する情報を選択的に表示する表示制御手段と
をさらに具備したことを特徴とする［１］記載の行動管理システム。
【０１０２】
［６］
上記第１の端末は、
ユーザの手首に装着可能な腕時計の形状を有し、
上記情報取得手段は、
上記第１の端末がユーザの手首に装着された状態で、上記第１の端末の近くに存在する上記第２の端末から近距離無線通信により各種情報を取得することを特徴とする請求項［５］記載の行動管理システム。
【０１０３】
［７］
身体に装着可能な形状を有する第１の端末と、この第１の端末と近距離無線通信により接続可能な第２の端末とを用いて、ユーザの行動を管理するための方法であって、
上記第１の端末は、
ユーザの行動データを測定し、
この測定された行動データをメモリに記録し、
上記第２の端末との通信状態に応じて、上記測定された行動データをリアルタイムに上記第２の端末に送信するか、あるいは、上記メモリに蓄積された行動データを一括して上記第２の端末に送信し、
上記第２の端末は、
上記第１の端末から受信した行動データを解析し、
上記行動データの種類に応じてネット上の所定のサーバにアクセスし、上記行動データの解析結果を送信して当該サーバのサービスを受けることを特徴とする行動管理方法。
【符号の説明】
【０１０４】
１１…リスト端末、１１ａ…装置本体、１１ｂ…バンド、１２…携帯端末、１３…ネットワーク、１４ａ，１４ｂ…コンテンツサーバ、１５…リスト端末サーバ、１６…健康管理サーバ、１７…ランナーズサーバ、２１…ＣＰＵ、２１ａ…通信信制御機能、２１ｂ…情報取得機能、２１ｃ…表示制御機能、２２…表示部、２３…タッチパネル、２４…通信部、２５…メモリ、２５ａ…プログラム、２６…センサ部、２７…時計部、２８…ＧＰＳ部、３１…ＣＰＵ、３１ａ…設定機能、３１ｂ…情報収集機能、３１ｃ…情報転送機能、３１ｄ…解析機能、３１ｅ…サーバアクセス機能、３２…表示部、３３…タッチパネル、３４ａ…第１の通信部、３４ｂ…第２の通信部、３５…メモリ、３５ａ…プログラム、３６…ＧＰＳ部、４１…リスト端末用メモリ、４１ａ…ユーザ情報、４１ｂ…配信情報。
【図１】
2014120822.tif 000003
【図２】
2014120822.tif 000004
【図３】
2014120822.tif 000005
【図４】
2014120822.tif 000006
【図５】
2014120822.tif 000007
【図６】
2014120822.tif 000008
【図７】
2014120822.tif 000009
【図８】
2014120822.tif 000010
【図９】
2014120822.tif 000011
【図１０】
2014120822.tif 000012
【図１１】
2014120822.tif 000013
【図１２】
2014120822.tif 000014
【図１３】
2014120822.tif 000015
【図１４】
2014120822.tif 000016
【図１５】
2014120822.tif 000017